(57)【特許請求の範囲】
【請求項１】
浴室及び脱衣室の間の開口部に設置され、前記浴室及び前記脱衣室を連通する通気通路を有する浴室用建具であって、
上枠、下枠、及び一対の縦枠を四周枠組みして構成され、前記開口部に取り付けられた枠体と、
前記上枠及び前記下枠の間に上下方向に沿って設けられ、前記一対の縦枠との間で第１開口及び第２開口をそれぞれ形成する方立と、
前記方立が戸先側に位置するように前記枠体に対して回動可能に配設され、前記第１開口を開閉する可動障子と、
前記第２開口を閉塞する固定障子とを備え、
前記通気通路は、前記可動障子にて前記第１開口を閉塞した状態で当該可動障子及び前記方立の間に形成され、前記浴室に連通する通気用隙間と、前記方立に設けられ、前記通気用隙間及び前記脱衣室を連通する方立内通気路とで構成され、
前記可動障子における戸先側の縦框には、前記可動障子にて前記第１開口を閉塞した状態で、前記浴室側に張り出し、前記通気用隙間を覆うカバー部材が設けられている
ことを特徴とする浴室用建具。
【請求項２】
前記カバー部材は、前記可動障子にて前記第１開口を閉塞した状態で、前記浴室側から見込み方向に沿って見た場合に、前記可動障子における戸先側の縦框、及び前記方立を覆う
ことを特徴とする請求項１に記載の浴室用建具。
【請求項３】
前記方立内通気路は、前記通気用隙間に連通するとともに当該通気用隙間から前記固定障子側に延びる第１通気通路と、前記可動障子側から前記固定障子側に延びて前記脱衣室に連通する第２通気通路と、前記第１通気通路及び前記第２通気通路を連通する第３通気通路とを有するクランク状に形成されている
ことを特徴とする請求項１または２に記載の浴室用建具。
【請求項４】
前記方立は、前記上枠及び前記下枠の間に上下方向に沿ってそれぞれ設けられた第１方立部及び第２方立部を備え、
前記方立内通気路は、前記第１方立部及び前記第２方立部の間に形成された隙間で構成されている
ことを特徴とする請求項１〜３のいずれか一つに記載の浴室用建具。
【請求項５】
前記カバー部材は、前記可動障子を開閉するための取っ手である
ことを特徴とする請求項１〜４のいずれか一つに記載の浴室用建具。
【請求項６】
浴室及び脱衣室の間の開口部に設置され、前記浴室及び前記脱衣室を連通する通気通路を有する浴室用建具であって、
上枠、下枠、及び一対の縦枠を四周枠組みして構成され、前記開口部に取り付けられた枠体と、
前記開口部を閉塞した状態で戸先側が互いに隣接するように前記枠体に対してそれぞれ回動可能に配設され、前記開口部をそれぞれ開閉する第１可動障子及び第２可動障子とを備え、
前記通気通路は、
前記第１可動障子及び前記第２可動障子にて前記開口部を閉塞した状態で当該第１可動障子における戸先側の縦框、及び当該第２可動障子における戸先側の縦框の間に形成される通気用隙間であり、
前記第１可動障子における戸先側の縦框には、前記第１可動障子及び前記第２可動障子にて前記開口部を閉塞した状態で、前記浴室側に張り出し、前記通気用隙間を覆うカバー部材が設けられている
ことを特徴とする浴室用建具。
【発明の詳細な説明】
【技術分野】
【０００１】
本発明は、浴室及び脱衣室の間の開口部に設置され、浴室及び脱衣室を連通する通気通路を有する浴室用建具に関する。
【背景技術】
【０００２】
従来、窓や玄関等のような建物の開口部の通気構造として、方立に通気構造を設けた技術が知られている（例えば、特許文献１参照）。
特許文献１に記載の方立は、左右方向に所定の隙間を空けて並設される本体枠部及び通気枠部と、本体枠部及び通気枠部の間に形成される隙間を室内側から覆う化粧枠部とを備える。そして、室外側の空気は、本体枠部及び通気枠部の間に形成された隙間から方立の内部に流入し、化粧枠部にて流路が折り曲げられて、化粧枠部の側面を介して、方立の外部（室内側）に流出する。すなわち、特許文献１に記載の通気構造は、方立の室外側に設けられる通気口（本体枠部及び通気枠部の間に形成される隙間）と、方立の室内側に設けられる通気口（化粧枠部の側面）とを略Ｌ字状に結ぶ通気通路で構成されている。
【先行技術文献】
【特許文献】
【０００３】
【特許文献１】特許第４０３４４２２号公報
【発明の概要】
【発明が解決しようとする課題】
【０００４】
ところで、特許文献１に記載の通気構造を浴室用建具に用いた場合には、方立に設けられた一方の通気口が浴室内に露出した状態で配設されることとなり、浴室内でシャワー等を使用すると、当該一方の通気口に直接、水がかかることとなる。このため、通気通路を辿って浴室から脱衣室へと水が漏出し易い、という問題がある。
【０００５】
本発明は、上記実情に鑑みて、通気通路を辿って浴室から脱衣室へと水が漏出することを抑制することができる浴室用建具を提供することを目的とする。
【課題を解決するための手段】
【０００６】
上記目的を達成するため、本発明に係る浴室用建具は、浴室及び脱衣室の間の開口部に設置され、前記浴室及び前記脱衣室を連通する通気通路を有する浴室用建具であって、上枠、下枠、及び一対の縦枠を四周枠組みして構成され、前記開口部に取り付けられた枠体と、前記上枠及び前記下枠の間に上下方向に沿って設けられ、前記一対の縦枠との間で第１開口及び第２開口をそれぞれ形成する方立と、前記方立が戸先側に位置するように前記枠体に対して回動可能に配設され、前記第１開口を開閉する可動障子と、前記第２開口を閉塞する固定障子とを備え、前記通気通路は、前記可動障子にて前記第１開口を閉塞した状態で当該可動障子及び前記方立の間に形成され、前記浴室に連通する通気用隙間と、前記方立に設けられ、前記通気用隙間及び前記脱衣室を連通する方立内通気路とで構成され、前記可動障子における戸先側の縦框には、前記可動障子にて前記第１開口を閉塞した状態で、前記浴室側に張り出し、前記通気用隙間を覆うカバー部材が設けられていることを特徴とする。
【０００７】
本発明では、可動障子における戸先側の縦框には、上述したカバー部材が設けられている。このため、可動障子にて第１開口を閉塞した状態では、通気通路の一部であり、当該通気通路における浴室側の通気口（以下、浴室側通気口と記載）となる通気用隙間は、カバー部材にて覆われ、浴室内に露出することはない。すなわち、浴室内でシャワー等を使用した場合であっても、浴室側通気口に直接、水がかかることがない。
したがって、通気通路を辿って浴室から脱衣室へと水が漏出することを抑制することができる、という効果を奏する。
特に、上述した通気用隙間を通気通路の一部とすることで、浴室側通気口を可動障子における戸先側の縦框に最も近接した位置、言い換えれば、当該縦框に設けられたカバー部材の基端部分に最も近接した位置に設けることができる。したがって、方立に浴室側通気口を設けた構成（可動障子における戸先側の縦框から離間した位置に浴室側通気口を設けた構成）と比較して、カバー部材にて浴室側通気口を効果的に覆うことができ、当該浴室側通気口への水の流入を最小限にすることが可能となる。
【０００８】
また、本発明は、上述した浴室用建具において、前記カバー部材は、前記可動障子にて前記第１開口を閉塞した状態で、前記浴室側から見込み方向に沿って見た場合に、前記可動障子における戸先側の縦框、及び前記方立を覆うことを特徴とする。
本発明では、可動障子にて第１開口を閉塞した状態で、カバー部材が上述したように可動障子における戸先側の縦框、及び方立を覆うため、浴室側から見込み方向に沿って見た場合に、当該縦框及び方立の各端縁や縦框及び方立の間に形成される隙間をカバー部材にて隠すことができる。したがって、見栄えが良く、外観性の良好な浴室用建具を構成することができる。
【０００９】
また、本発明は、上述した浴室用建具において、前記方立内通気路は、前記通気用隙間に連通するとともに当該通気用隙間から前記固定障子側に延びる第１通気通路と、前記可動障子側から前記固定障子側に延びて前記脱衣室に連通する第２通気通路と、前記第１通気通路及び前記第２通気通路を連通する第３通気通路とを有するクランク状に形成されていることを特徴とする。
本発明では、方立内通気路は、上述した第１〜第３通気通路を有するクランク状に形成されている。このため、カバー部材の基端部分に最も近接した位置に設けられた浴室側通気口に水が流入した場合であっても、当該水を方立内通気路（第１〜第３通気通路）のいずれかの箇所に留めることができ、通気通路を辿って浴室から脱衣室へと水が漏出することをより効果的に抑制することができる。
【００１０】
また、本発明は、上述した浴室用建具において、前記方立は、前記上枠及び前記下枠の間に上下方向に沿ってそれぞれ設けられた第１方立部及び第２方立部を備え、前記方立内通気路は、前記第１方立部及び前記第２方立部の間に形成された隙間で構成されていることを特徴とする。
ところで、浴室に用いられる方立は、一般的に、耐食性等を考慮してアルマイト処理等の表面処理が施されているものである。そして、例えば、方立を一部材で構成し、当該方立を加工することにより方立内通気路を形成した場合には、加工した部分に下地が露出し、バリや耐食性等を考慮した場合に好ましくないものとなる。
本発明では、方立を上述した第１，第２方立部の少なくとも二部材で構成し、第１，第２方立部の間に形成された隙間を方立内通気路としている。このため、上述した方立を一部材で構成した場合と比較して、バリや耐食性等の問題が生じることがない。
【００１１】
また、本発明は、上述した浴室用建具において、前記カバー部材は、前記可動障子を開閉するための取っ手であることを特徴とする。
本発明では、カバー部材を上述した取っ手で構成することにより、カバー部材に、通気通路を辿って浴室から脱衣室へと水が漏出することを抑制する機能の他、可動障子を開閉するための取っ手としての機能を持たせることができる。このため、カバー部材とは別に取っ手を設けた構成と比較して、部材点数を削減することができる。
【００１２】
本発明に係る浴室用建具は、浴室及び脱衣室の間の開口部に設置され、前記浴室及び前記脱衣室を連通する通気通路を有する浴室用建具であって、上枠、下枠、及び一対の縦枠を四周枠組みして構成され、前記開口部に取り付けられた枠体と、前記開口部を閉塞した状態で戸先側が互いに隣接するように前記枠体に対してそれぞれ回動可能に配設され、前記開口部をそれぞれ開閉する第１可動障子及び第２可動障子とを備え、前記通気通路は、前記第１可動障子及び前記第２可動障子にて前記開口部を閉塞した状態で当該第１可動障子における戸先側の縦框、及び当該第２可動障子における戸先側の縦框の間に形成される通気用隙間であり、前記第１可動障子における戸先側の縦框には、前記第１可動障子及び前記第２可動障子にて前記開口部を閉塞した状態で、前記浴室側に張り出し、前記通気用隙間を覆うカバー部材が設けられていることを特徴とする。
【００１３】
本発明では、第１可動障子における戸先側の縦框には、上述したカバー部材が設けられている。このため、第１，第２可動障子にて開口部を閉塞した状態では、通気通路となる通気用隙間（浴室側通気口）は、カバー部材にて覆われ、浴室内に露出することはない。すなわち、浴室内でシャワー等を使用した場合であっても、浴室側通気口に直接、水がかかることがない。
したがって、通気通路を辿って浴室から脱衣室へと水が漏出することを抑制することができる、という効果を奏する。
【発明の効果】
【００１４】
本発明に係る浴室用建具によれば、通気通路を辿って浴室から脱衣室へと水が漏出することを抑制することができる、という効果を奏する。
【図面の簡単な説明】
【００１５】
【図１】図１は、本発明の実施の形態１に係る浴室用建具を浴室側から見た図である。
【図２】図２は、図１に示した浴室用建具の縦断面図である。
【図３】図３は、図１に示した浴室用建具の横断面図である。
【図４】図４は、図１〜図３に示した浴室用建具の通気構造を示す要部拡大横断面図である。
【図５】図５は、本発明の実施の形態２に係る浴室用建具を浴室側から見た図である。
【図６】図６は、図５に示した浴室用建具の横断面図である。
【図７】図７は、図５及び図６に示した浴室用建具の通気構造を示す要部拡大横断面図である。
【発明を実施するための形態】
【００１６】
以下、添付図面を参照しながら本発明に係る浴室用建具の好適な実施の形態について詳細に説明する。
【００１７】
（実施の形態１）
〔浴室用建具の概略構成〕
図１は、本発明の実施の形態１に係る浴室用建具１を浴室側から見た図である。図２は、浴室用建具１の縦断面図である。図３は、浴室用建具１の横断面図である。
浴室用建具１は、浴室及び脱衣室の間の開口部Ｏｐに設置される建具であり、枠体２と、方立３と、可動障子４と、固定障子５とを備える。そして、浴室用建具１は、具体的には後述するが、可動障子４及び固定障子５にて開口部Ｏｐを閉塞した状態（図１に示した状態）で、通気通路ＥＣを介して、脱衣室の空気を浴室に流入させて換気を可能とする構成である。
ここで、具体的な図示は省略したが、浴室には、ユニットバスが設置されている。ユニットバスは、床面となる防水パンＢＰの周囲に側壁パネルＳＰを有し、側壁パネルＳＰの上端部間に天井パネルＴＰを有したもので、側壁パネルＳＰにおいて出入口となる部分にのみ開口部Ｏｐを有している。
【００１８】
〔枠体の構成〕
枠体２は、上枠２１、下枠２２、脱衣室側から見て左側の左側縦枠２３、及び脱衣室側から見て右側の右側縦枠２４を四周枠組みすることによって構成されている。これら各枠部材２１〜２４は、アルミニウム合金によって成形した押し出し形材であり、全長に亘って略一様な断面形状を有する。
なお、以下で記載する「見込み方向」は、図２の矢印Ａｒで示すように、浴室用建具１の奥行きに沿った方向である。見込み方向に沿った平面については、見込み面と称し、見込み方向に直交する平面については見付け面と称する場合がある。また、以下で記載する枠や框の「長手方向」は、それぞれを押し出し成形する場合の押し出し方向に一致する。また、以下で記載する「内側」及び「外側」は、開口部Ｏｐの内側及び外側を意味するものである。
【００１９】
上枠２１は、上枠基部２１１と、見付けカバー部２１２と、上枠保持ヒレ部２１３とを備える。
上枠基部２１１は、見込み方向に沿って略水平に延在した部分である。そして、上枠基部２１１は、天井パネルＴＰの下面、及び躯体（図示略）に取り付けられた上方側の額縁ＧＢの下面と略面一となるように、額縁ＧＢの下面にネジ止めされる。
見付けカバー部２１２は、上枠基部２１１の下面において、見込み方向の中心位置よりも脱衣室側の位置から見込み方向に直交するように下方に向けて延在した部分である。
上枠保持ヒレ部２１３は、上枠基部２１１における浴室側の縁部から上方に向けて略直角に屈曲して延在した部分である。
そして、上枠２１は、両端部を左，右側縦枠２３，２４にそれぞれ当接させ、当該左，右側縦枠２３，２４を介して、上枠基部２１１及び上枠保持ヒレ部２１３にそれぞれ設けられたビスホール２１１１，２１３１に枠固定ネジ（図示略）をそれぞれ螺合させることによって、左，右側縦枠２３，２４にそれぞれ連結される。
【００２０】
下枠２２は、下枠基部２２１と、下枠第１ヒレ部２２２と、下枠第２ヒレ部２２３とを備える。
下枠基部２２１は、下枠２２の長手方向に沿って延在する略角筒状に形成されている。なお、以下、下枠基部２２１において、浴室側の見付け面を構成する壁部を下枠見付け壁部２２１ａとし、上方側の見込み面を構成する壁部を下枠見込み壁部２２１ｂとする。
下枠第１ヒレ部２２２は、下枠見付け壁部２２１ａにおける上方側の縁部から浴室側に向けて延在した部分である。より具体的に、下枠第１ヒレ部２２２は、浴室側に向かうにしたがって下方に傾斜している。そして、下枠第１ヒレ部２２２における浴室側の端部は、上枠保持ヒレ部２１３と見込み方向で略一致する位置にて下方に向けて略直角に屈曲し、防水パンＢＰに設けられた凹状溝ＢＰＯに収容される。
下枠第２ヒレ部２２３は、下枠見込み壁部２２１ｂの脱衣室側の位置から見込み方向に直交するように上方に向けて突出し、さらに、脱衣室側に向けて略直角に延在した部分であり、上枠基部２１１における脱衣室側の縁部と見込み方向で略一致する位置にて終端している。そして、下枠第２ヒレ部２２３は、躯体（図示略）に取り付けられた下方側の額縁ＧＢの上面にネジ止めされる。
そして、下枠２２は、上枠２１と同様に、両端部を左，右側縦枠２３，２４にそれぞれ当接させ、当該左，右側縦枠２３，２４を介して、下枠基部２２１及び下枠第１ヒレ部２２２にそれぞれ設けられたビスホール２２１１，２２２１に枠固定ネジ（図示略）をそれぞれ螺合させることによって、左，右側縦枠２３，２４にそれぞれ連結される。
【００２１】
左側縦枠２３は、縦枠基部２３１と、縦枠第１ヒレ部２３２と、縦枠第２ヒレ部２３３とを備える。
縦枠基部２３１は、左側縦枠２３の長手方向に沿って延在する略角筒状に形成されている。なお、以下、縦枠基部２３１において、浴室側の見付け面を構成する壁部を縦枠見付け壁部２３１ａとし、内側の見込み面を構成する壁部を縦枠見込み壁部２３１ｂとする。
縦枠第１ヒレ部２３２は、縦枠見付け壁部２３１ａにおける内側の縁部から縦枠見込み壁部２３１ｂを延長するように浴室側に延在した部分であり、下枠第１ヒレ部２２２の浴室側の端部と見込み方向で略一致する位置にて外側に向けて略直角に屈曲している。
縦枠第２ヒレ部２３３は、縦枠見込み壁部２３１ｂにおける脱衣室側の縁部から内側に向けて突出し、さらに、浴室側に向けて略直角に屈曲して延在した部分であり、下枠第２ヒレ部２２３の脱衣室側の縁部と見込み方向で略一致する位置にて終端している。そして、縦枠第２ヒレ部２３３は、浴室側に向けて延在した部分が躯体（図示略）に取り付けられた脱衣室側から見て左側の額縁ＧＢにおける内側の見付け面と略面一となるように、当該見付け面にネジ止めされる。
以上の構成により、脱衣室側から見た場合には、左側縦枠２３は、脱衣室側から見て左側の額縁ＧＢによって隠された位置に配設される。
【００２２】
右側縦枠２４は、左側縦枠２３と左右対称となる形状を有している。すなわち、右側縦枠２４は、左側縦枠２３における縦枠基部２３１（縦枠見付け壁部２３１ａ及び縦枠見込み壁部２３１ｂを含む）、縦枠第１ヒレ部２３２、及び縦枠第２ヒレ部２３３と同様の縦枠基部２４１（縦枠見付け壁部２４１ａ及び縦枠見込み壁部２４１ｂを含む）、縦枠第１ヒレ部２４２、及び縦枠第２ヒレ部２４３を備える。
そして、脱衣室側から見た場合には、右側縦枠２４は、左側縦枠２３と同様に、脱衣室側から見て右側の額縁ＧＢによって隠された位置に配設される。
【００２３】
〔方立の構成〕
方立３は、上枠２１及び下枠２２の間に上下方向に沿って配設され、左側縦枠２３との間に第１開口Ｏｐ１を形成するとともに、右側縦枠２４との間に第２開口Ｏｐ２を形成する。なお、第１，第２開口Ｏｐ１，Ｏｐ２の開口面積は、略同一である。
この方立３は、上下方向に沿ってそれぞれ延在し、脱衣室側から見て左右に並設された第１，第２方立部３１，３２の２つの部材で構成されている。これら第１，第２方立部３１，３２は、アルミニウム合金によって成形した押し出し形材であり、全長に亘って略一様な断面形状を有する。
そして、第１，第２方立部３１，３２の間に形成される隙間は、通気通路ＥＣの一部を構成する方立内通気路ＥＣ１となる。
なお、第１，第２方立部３１，３２の構成（方立内通気路ＥＣ１の構成）については、浴室用建具１の通気構造（通気通路ＥＣの構造）を説明する際に説明する。
【００２４】
〔可動障子の構成〕
可動障子４は、方立３が戸先側に位置し、浴室側に開くように、ヒンジＨｇ１を介して、左側縦枠２３に対して回動可能に取り付けられ、出入口となる第１開口Ｏｐ１を開閉する。
この可動障子４は、第１パネル４１と、第１上，下框４２，４３と、脱衣室側から見て左側の第１左側縦框４４と、脱衣室側から見て右側の第１右側縦框４５とを備える。
第１パネル４１は、透明樹脂やガラス等の透光性を有する矩形状に形成されている。そして、第１パネル４１には、表裏を貫通させてヒンジＨｇ１の一端側が固定される。
【００２５】
各框部材４２〜４５は、アルミニウム合金によって成形した押し出し形材であり、全長に亘って略一様な断面形状を有し、第１パネル４１の四周に装着される。
第１上框４２は、浴室側の見付け面を構成する上框第１見付け壁部４２１、脱衣室側の見付け面を構成する上框第２見付け壁部４２２、上方側の見込み面を構成する上框第１見込み壁部４２３、及び下方側の見込み面を構成する上框第２見込み壁部４２４を有する略角筒状に形成されている。
これら各壁部４２１〜４２４のうち、上框第２見込み壁部４２４において、浴室側の位置には、第１上框４２の長手方向に沿って延在し、第１パネル４１の上端部が挿入されるパネル保持溝４２４１が形成されている。
【００２６】
そして、第１上框４２は、両端部を第１左，右側縦框４４，４５にそれぞれ当接させ、当該第１左，右側縦框４４，４５を介して、上框第２見込み壁部４２４に設けられたビスホール４２４２に框固定ネジ（図示略）をそれぞれ螺合させることによって、第１左，右側縦框４４，４５にそれぞれ連結される。
また、可動障子４にて第１開口Ｏｐ１を閉塞した状態では、上框第２見付け壁部４２２に対して、上枠２１の見付けカバー部２１２に取り付けられた止水材Ｗｍ１に当接する。この止水材Ｗｍ１は、上枠２１の長手方向に沿って延在し、当該上枠２１の全長と略同一の長さ寸法を有する。
【００２７】
第１下框４３は、第１上框４２と略上下対称となる形状を有している。すなわち、第１下框４３は、第１上框４２における各壁部４２１〜４２４（パネル保持溝４２４１及びビスホール４２４２を含む）と同様の下框第１，第２見付け壁部４３１，４３２、及び下框第１，第２見込み壁部４３３，４３４（パネル保持溝４３４１及びビスホール４３４２を含む）を備える。
そして、第１下框４３は、第１上框４２と同様に、パネル保持溝４３４１にて第１パネル４１の下端部を保持するとともに、第１左，右側縦框４４，４５を介して、ビスホール４３４２に框固定ネジ（図示略）をそれぞれ螺合させることによって、第１左，右側縦框４４，４５にそれぞれ連結される。
【００２８】
第１右側縦框４５は、浴室側の見付け面を構成する縦框第１見付け壁部４５１、脱衣室側の見付け面を構成する縦框第２見付け壁部４５２、脱衣室側から見て左側の見込み面を構成する縦框第１見込み壁部４５３、及び脱衣室側から見て右側の見込み面を構成する縦框第２見込み壁部４５４を有する略角筒状に形成されている。
これら各壁部４５１〜４５４のうち、縦框第１見込み壁部４５３において、浴室側の位置には、第１右側縦框４５の長手方向に沿って延在し、第１パネル４１における脱衣室側から見て右側の端部が挿入されるパネル保持溝４５３１が形成されている。
そして、可動障子４にて第１開口Ｏｐ１を閉塞した状態では、縦框第２見付け壁部４５２に対して、第１方立部３１に取り付けられた止水材Ｗｍ２に当接する。この止水材Ｗｍ２は、第１方立部３１の長手方向に沿って延在し、当該第１方立部３１の全長と略同一の長さ寸法を有する。
また、縦框第１見付け壁部４５１には、第１右側縦框４５の長手方向に沿って延在し、第１右側縦框４５の全長と略同一の長さ寸法を有するカバー部材６が一体形成されている。
なお、カバー部材６の詳細な構成については後述する。
【００２９】
第１左側縦框４４は、第１右側縦框４５と略左右対称となる形状を有している。すなわち、第１左側縦框４４は、第１右側縦框４５における各壁部４５１〜４５４（パネル保持溝４５３１を含む）と同様の縦框第１，第２見付け壁部４４１，４４２、及び縦框第１，第２見込み壁部４４３，４４４（パネル保持溝４４３１を含む）を備える。
そして、可動障子４にて第１開口Ｏｐ１を閉塞した状態では、縦框第２見付け壁部４４２に対して、左側縦枠２３に取り付けられた止水材Ｗｍ３に当接する。この止水材Ｗｍ３は、左側縦枠２３の長手方向に沿って延在し、当該左側縦枠２３の全長と略同一の長さ寸法を有し、左側縦枠２３の縦枠第２ヒレ部２３３における内側に向けて突出した部分に取り付けられている。
【００３０】
以上説明した各框部材４１〜４４を互いに連結させた状態では、各壁部４２１，４３１，４４１，４５１における浴室側の各見付け面は、略面一となる。また、各壁部４２２，４３２，４４２，４５２における脱衣室側の各見付け面は、略面一となる。
そして、可動障子４にて第１開口Ｏｐ１を閉塞した状態では、脱衣室側から見込み方向に沿って見た場合に、第１上框４２は、上枠２１の見付けカバー部２１２にて覆い隠される。また、第１左，右側縦框４４，４５は、左側縦枠２３（縦枠第２ヒレ部２３３）及び第１方立部３１（後述する第１左側ヒレ部３１２）にて覆い隠される。
【００３１】
〔固定障子の構成〕
固定障子５は、上枠２１、下枠２２、右側縦枠２４、及び第２方立部３２に対して固定され、第２開口Ｏｐ２を閉塞する。
この固定障子５は、第２パネル５１と、第２上，下框５２，５３と、脱衣室側から見て左側の第２左側縦框５４と、脱衣室側から見て右側の第２右側縦框５５とを備える。
第２パネル５１は、第１パネル４１と同様に、透明樹脂やガラス等の透光性を有する矩形状に形成されている。
各框部材５２〜５５は、アルミニウム合金によって成形した押し出し形材であり、全長に亘って略一様な断面形状を有し、第２パネル５１の四周に装着される。
なお、各框部材５２〜５５は、各框部材４２〜４５と略同一の形状を有するため、具体的な説明は省略する。
【００３２】
そして、固定障子５を上枠２１、下枠２２、右側縦枠２４、及び第２方立部３２に対して固定した状態では、各框部材５２〜５５における浴室側の各見付け面は、略面一となるとともに、可動障子４における各壁部４２１，４３１，４４１，４５１における浴室側の各見付け面と見込み方向で略一致する位置となる。また、各框部材５２〜５５における脱衣室側の各見付け面は、略面一となるとともに、可動障子４における各壁部４２２，４３２，４４２，４５２における浴室側の各見付け面と見込み方向で略一致する位置となる。
また、当該状態では、脱衣室側から見込み方向に沿って見た場合に、第２上框５２は、上枠２１の見付けカバー部２１２にて覆い隠される。また、第２左，右側縦框５４，５５は、第２方立部３２（後述する第２右側ヒレ部３２２）及び右側縦枠２４（縦枠第２ヒレ部２４３）にて覆い隠される。
なお、固定障子５と、上枠２１、下枠２２、右側縦枠２４、及び第２方立部３２との間は、例えば、止水材Ｗｍ４，Ｗｍ５等により止水されている。
以上のように、本実施の形態１に係る浴室用建具１は、浴室ドア（可動障子４）とフィックス窓（固定障子５）とが並設された連窓の浴室用建具で構成されている。
【００３３】
〔浴室用建具の通気構造〕
次に、浴室用建具１の通気構造（通気通路ＥＣの構造）について説明する。
図４は、浴室用建具１の通気構造を示す要部拡大横断面図である。具体的に、図４は、図３の一部を拡大した図である。
通気通路ＥＣは、第１，第２方立部３１，３２の間に形成される方立内通気路ＥＣ１と、可動障子４（第１右側縦框４５）及び方立３の間に形成され、浴室に連通する通気用隙間ＥＣ２とで構成される。ここで、通気用隙間ＥＣ２は、通気通路ＥＣにおける浴室側の通気口Ｖｅ１（以下、浴室側通気口Ｖｅ１と記載）を有する。
【００３４】
第１方立部３１は、第１方立基部３１１と、脱衣室側から見て左側の第１左側ヒレ部３１２と、脱衣室側から見て右側の第１右側ヒレ部３１３とを備える。
第１方立基部３１１は、第１方立部３１の長手方向に沿って延在し、浴室側の見付け面を構成する第１浴室側見付け壁部３１１１、脱衣室側の見付け面を構成する第１脱衣室側見付け壁部３１１２、可動障子４側の見込み面を構成する第１可動側見込み壁部３１１３、及び固定障子５側の見込み面を構成する第１固定側見込み壁部３１１４を有する略角筒状に形成されている。
【００３５】
第１左側ヒレ部３１２は、第１可動側見込み壁部３１１３における脱衣室側の縁部から第１脱衣室側見付け壁部３１１２を延長するように脱衣室側から見て左側に延在した部分である。そして、第１左側ヒレ部３１２は、可動障子４にて第１開口Ｏｐ１を閉塞した状態で、脱衣室側から見込み方向に沿って見た場合に、可動障子４の第１右側縦框４５を覆い隠す。
また、第１左側ヒレ部３１２における浴室側の面には、上述した止水材Ｗｍ２が取り付けられている。
【００３６】
第１右側ヒレ部３１３は、第１固定側見込み壁部３１１４における脱衣室側の縁部から第１脱衣室側見付け壁部３１１２を延長するように脱衣室側から見て右側に延在した部分である。
そして、第１方立部３１は、両端部を上，下枠２１，２２にそれぞれ当接させ、当該上，下枠２１，２２を介して、第１方立基部３１１に設けられたビスホール３１１５に方立固定ネジＳｃ１を螺合させることによって、上，下枠２１，２２にそれぞれ連結される。この状態では、第１脱衣室側見付け壁部３１１２、及び第１左，右側ヒレ部３１２，３１３は、左，右側縦枠２３，２４の各縦枠第２ヒレ部２３３，２４３における内側に延在した部分と見込み方向で略一致する位置となる。
【００３７】
第２方立部３２は、第２方立基部３２１と、脱衣室側から見て左側の第２左側ヒレ部３２２と、脱衣室側から見て右側の第２右側ヒレ部３２３とを備える。
第２方立基部３２１は、第１方立基部３１１と略同一の形状を有する。具体的に、第２方立基部３２１は、第２方立部３２の長手方向に沿って延在し、浴室側の見付け面を構成する第２浴室側見付け壁部３２１１、脱衣室側の見付け面を構成する第２脱衣室側見付け壁部３２１２、可動障子側の見込み面を構成する第２可動側見込み壁部３２１３、及び固定障子５側の見込み面を構成する第２固定側見込み壁部３２１４を有する略角筒状に形成されている。
【００３８】
第２左側ヒレ部３２２は、第２可動側見込み壁部３２１３における浴室側の縁部から第２浴室側見付け壁部３２１１を延長するように脱衣室側から見て左側に延在した部分である。
第２右側ヒレ部３２３は、第２脱衣室側見付け壁部３２１２における固定障子５側の縁部から第２固定側見込み壁部３２１４を延長するように脱衣室側に延在し、さらに、脱衣室側から見て右側に略直角に屈曲して延在した部分である。
また、第２右側ヒレ部３２３における浴室側の面には、上述した止水材Ｗｍ４が取り付けられている。
【００３９】
そして、第２方立部３２は、第１方立部３１と同様に、両端部を上，下枠２１，２２にそれぞれ当接させ、当該上，下枠２１，２２を介して、第２方立基部３２１に設けられたビスホール３２１５に方立固定ネジＳｃ２を螺合させることによって、上，下枠２１，２２にそれぞれ連結される。
この状態では、第２右側ヒレ部３２３における脱衣室側から見て右側に延在した部分は、第１方立部３１における第１脱衣室側見付け壁部３１１２、及び第１左，右側ヒレ部３１２，３１３と見込み方向で略一致する位置となる。また、第２浴室側見付け壁部３２１１及び第２左側ヒレ部３２２における浴室側の各見付け面は、可動障子４における各壁部４２１，４３１，４４１，４５１における浴室側の各見付け面、及び固定障子５における各框部材５２〜５５における浴室側の各見付け面と見込み方向で略一致する位置となる。さらに、第１浴室側見付け壁部３１１１及び第２左側ヒレ部３２２の間と、第１固定側見込み壁部３１１４及び第２可動側見込み壁部３２１３の間と、第１右側ヒレ部３１３及び第２脱衣室側見付け壁部３２１２の間とは、それぞれ所定の間隔（隙間）を空けた状態となる。そして、当該隙間が方立内通気路ＥＣ１として機能する。
【００４０】
すなわち、方立内通気路ＥＣ１は、第１浴室側見付け壁部３１１１及び第２左側ヒレ部３２２の間に形成される隙間である第１通気通路ＥＣ１１と、第１右側ヒレ部３１３及び第２脱衣室側見付け壁部３２１２の間に形成される隙間である第２通気通路ＥＣ１２と、第１固定側見込み壁部３１１４及び第２可動側見込み壁部３２１３の間に形成される隙間である第３通気通路ＥＣ１３とを有するクランク状に形成されている。
より具体的に、第１通気通路ＥＣ１１は、連通口Ｖｅ０を介して通気用隙間ＥＣ２に連通し、当該連通口Ｖｅ０から固定障子５側に直線的に延びる。
第２通気通路ＥＣ１２は、第１右側ヒレ部３１３の先端と第２右側ヒレ部３２３との間に形成された隙間（通気通路ＥＣにおける脱衣室側の通気口Ｖｅ２（以下、脱衣室側通気口Ｖｅ２と記載）を介して脱衣室に連通し、当該脱衣室側通気口Ｖｅ２から可動障子４側に直線的に延びる。
第３通気通路ＥＣ１３は、第１，第２通気通路ＥＣ１１，ＥＣ１２を連通し、見込み方向に沿って延びる。
そして、浴室用建具１は、可動障子４にて第１開口Ｏｐ１を閉塞した状態で、脱衣室側通気口Ｖｅ２〜第２通気通路ＥＣ１２〜第３通気通路ＥＣ１３〜第１通気通路ＥＣ１１〜連通口Ｖｅ０〜通気用隙間ＥＣ２〜浴室側通気口Ｖｅ１の経路（通気通路ＥＣ）を辿って、脱衣室の空気を浴室に流入させて換気を可能とする。
【００４１】
〔カバー部材の構成〕
次に、カバー部材６の構成について図４を参照しながら説明する。
カバー部材６は、支持部６１と、カバー部６２とを備える。
支持部６１は、縦框第１見付け壁部４５１における第１パネル４１側の縁部から浴室側に突出し、カバー部材６の長手方向に沿って延在した部分である。
カバー部６２は、支持部６１の浴室側の縁部から左右方向に延在した部分である。そして、可動障子４にて第１開口Ｏｐ１を閉塞した状態では、カバー部６２は、浴室側から見込み方向に沿って見た場合に、第１右側縦框４５及び方立３を覆い隠す。具体的に、カバー部６２は、当該状態において、脱衣室側から見て右側の端部は、見込み方向から見て、第２固定側見込み壁部３２１４と略一致する位置に設定されている。また、カバー部６２は、当該状態において、脱衣室側から見て左側の端部は、見込み方向から見て、縦框第１見込み壁部４５３よりも左側に位置するように設定されている。すなわち、カバー部６２は、浴室側通気口Ｖｅ１を覆う。
なお、支持部６１は、浴室側への突出寸法が２０〜３０ｍｍ程度に設定されており、可動障子４にて第１開口Ｏｐ１を閉塞した状態で、カバー部６２と方立３との間に指を挿入可能に設定されている。なお、当該突出寸法は、指を挿入可能であれば、その他の寸法（例えば、１０ｍｍ等）に設定しても構わない。すなわち、カバー部材６は、可動障子４を開閉するための取っ手としての機能を有する。
【００４２】
以上説明した本実施の形態１に係る浴室用建具１では、可動障子４における第１右側縦框４５には、カバー部材６が設けられている。このため、可動障子４にて第１開口Ｏｐ１を閉塞した状態では、浴室側通気口Ｖｅ１は、カバー部材６にて覆われ、浴室内に露出することはない。すなわち、浴室内でシャワー等を使用した場合であっても、浴室側通気口Ｖｅ１に直接、水がかかることがない。
したがって、通気通路ＥＣを辿って浴室から脱衣室へと水が漏出することを抑制することができる、という効果を奏する。
特に、通気用隙間ＥＣ２を通気通路ＥＣの一部とすることで、浴室側通気口Ｖｅ１を第１右側縦框４５に最も近接した位置、言い換えれば、第１右側縦框４５に設けられたカバー部材６の基端部分（支持部６１）に最も近接した位置に設けることができる。したがって、方立に浴室側通気口を設けた構成（第１右側縦框４５から離間した位置に浴室側通気口を設けた構成）と比較して、カバー部材６にて浴室側通気口Ｖｅ１を効果的に覆うことができ、浴室側通気口Ｖｅ１への水の流入を最小限にすることが可能となる。
【００４３】
また、本実施の形態１に係る浴室用建具１では、カバー部材６は、浴室側から見込み方向に沿って見た場合に、可動障子４における第１右側縦框４５及び方立３を覆う。このため、浴室側から見込み方向に沿って見た場合に、第１右側縦框４５及び方立３の各端縁や第１右側縦框４５及び方立３の間に形成される隙間をカバー部材６にて隠すことができる。したがって、見栄えが良く、外観性の良好な浴室用建具１を構成することができる。
【００４４】
また、本実施の形態１に係る浴室用建具１では、方立内通気路ＥＣ１は、第１〜第３通気通路ＥＣ１１〜ＥＣ１３を有するクランク状に形成されている。このため、カバー部材６の基端部分（支持部６１）に最も近接した位置に設けられた浴室側通気口Ｖｅ１に水が流入した場合であっても、当該水を方立内通気路ＥＣ１（第１〜第３通気通路ＥＣ１１〜ＥＣ１３）のいずれかの箇所に留めることができ、通気通路ＥＣを辿って浴室から脱衣室へと水が漏出することをより効果的に抑制することができる。
【００４５】
また、本実施の形態１に係る浴室用建具１では、方立３を第１，第２方立部３１，３２の２つの部材で構成し、第１，第２方立部３１，３２の間に形成された隙間を方立内通気路ＥＣ１としている。このため、方立を一部材で構成し、当該一部材の方立を加工して方立内通気路を形成した構成と比較して、当該加工を不要とし、当該加工により生じるバリや耐食性等の問題が生じることがない。
【００４６】
また、本実施の形態１に係る浴室用建具１では、カバー部材６は、可動障子４を開閉するための取っ手としての機能を有する。このため、カバー部材６に、通気通路ＥＣを辿って浴室から脱衣室へと水が漏出することを抑制する機能の他、可動障子４を開閉するための取っ手としての機能を持たせることができる。このため、カバー部材６とは別に取っ手を設けた構成と比較して、部材点数を削減することができる。
【００４７】
（実施の形態２）
次に、本発明の実施の形態２について説明する。
以下の説明では、実施の形態１と同様の構成には同一符号を付し、その詳細な説明は省略または簡略化する。
図５は、本発明の実施の形態２に係る浴室用建具１Ａを浴室側から見た図である。図６は、浴室用建具１Ａの横断面図である。
上述した実施の形態１に係る浴室用建具１は、浴室ドア（可動障子４）とフィックス窓（固定障子５）とが並設された連窓の浴室用建具で構成されていた。
これに対して本実施の形態２に係る浴室用建具１Ａは、親子ドアで構成されている。
【００４８】
具体的に、浴室用建具１Ａは、上述した実施の形態１で説明した方立３が省略されるとともに、固定障子５の代わりに可動障子５Ａが採用されている。以下では、説明の便宜上、可動障子４を第１可動障子４と記載し、可動障子５を第２可動障子５Ａと記載する。
第２可動障子５Ａは、上述した実施の形態１で説明した固定障子５に対して、第１可動障子４が戸先側に位置し、浴室側に開くように、ヒンジＨｇ２を介して、右側縦枠２４に対して回動可能に取り付けられている点が異なる。すなわち、第１，第２可動障子４，５Ａにて出入口となる開口部Ｏｐを開閉する。
また、第２可動障子５Ａは、上述した実施の形態１で説明した固定障子５に対して、第２左側縦框５４にヒレ部５４１が設けられている点が異なる。以下、第２左側縦框５４において、第１左側縦框４４における縦框第２見付け壁部４４２及び縦框第２見込み壁部４４４に対応する壁部をそれぞれ縦框第２見付け壁部５４２及び縦框第２見込み壁部５４４とする。
ヒレ部５４１は、縦框第２見付け壁部５４２における脱衣室側から見て左側の縁部から縦框第２見込み壁部５４４を延長するように脱衣室側に延在し、さらに、脱衣室側から見て左側に略直角に屈曲して延在した部分である。
そして、本実施の形態２に係る浴室用建具１Ａでは、第１，第２可動障子４，５Ａにて開口部Ｏｐを閉塞した状態で、第１，第２可動障子４，５Ａの間に形成される通気用隙間が通気通路ＥＣＡとして機能する。
【００４９】
図７は、浴室用建具１Ａの通気構造を示す要部拡大横断面図である。具体的に、図７は、図６の一部を拡大した図である。
通気通路ＥＣＡは、第１，第２可動障子４，５Ａにて開口部Ｏｐを閉塞した状態で、縦框第２見込み壁部４５４，５４４の間に形成される隙間である第１通気通路ＥＣＡ１と、縦框第２見付け壁部４５２及びヒレ部５４１の間に形成される隙間である第２通気通路ＥＣＡ２とを有するＬ字状に形成されている。
より具体的に、第１通気通路ＥＣＡ１は、通気通路ＥＣＡにおける浴室側の通気口ＶｅＡ１（以下、浴室側通気口ＶｅＡ１と記載）を有し、当該浴室側通気口ＶｅＡ１から見込み方向に沿って脱衣室側に直線的に延びる。
第２通気通路ＥＣＡ２は、通気通路ＥＣＡにおける脱衣室側の通気口ＶｅＡ２（以下、脱衣室側通気口ＶｅＡ２）を有し、当該脱衣室側通気口ＶｅＡ２から脱衣室側から見て右側に直線的に延び、第１通気通路ＥＣＡ１に連通する。
そして、浴室用建具１Ａは、第１，第２可動障子４，５Ａにて開口部Ｏｐを閉塞した状態で、脱衣室側通気口ＶｅＡ２〜第２通気通路ＥＣＡ２〜第１通気通路ＥＣＡ１〜浴室側通気口ＶｅＡ１の経路（通気通路ＥＣＡ）を辿って、脱衣室の空気を浴室に流入させて換気を可能とする。
【００５０】
本実施の形態２に係るカバー部材６を構成するカバー部６２は、第１，第２可動障子４，５Ａにて開口部Ｏｐを閉塞した状態で、浴室側から見込み方向に沿って見た場合に、第１右側縦框４５及び第２左側縦框５４を覆い隠す。具体的に、カバー部６２は、当該状態において、脱衣室側から見て右側の端部は、見込み方向から見て、第２左側縦框５４よりも右側に位置するように設定されている。また、カバー部６２は、当該状態において、脱衣室側から見て左側の端部は、上述した実施の形態１と同様に、見込み方向から見て、縦框第１見込み壁部４５３よりも左側に位置するように設定されている。すなわち、カバー部６２は、浴室側通気口ＶｅＡ１を覆う。
【００５１】
以上説明した本実施の形態２に係る浴室用建具１Ａのように親子ドアで構成した場合であっても、上述した実施の形態１と同様の効果を奏する。
【００５２】
（その他の実施の形態）
ここまで、本発明を実施するための形態を説明してきたが、本発明は上述した実施の形態１，２によってのみ限定されるべきものではない。
上述した実施の形態１では、方立内通気路ＥＣ１は、第１〜第３通気通路ＥＣ１１〜ＥＣ１３を有するクランク状に形成されていたが、これに限られず、蛇行した形状等の他の形状の方立内通気路を採用しても構わない。
【００５３】
上述した実施の形態１では、方立３は、第１，第２方立部３１，３２の２つの部材で構成されていたが、これに限られず、一部材で構成してもよく、３つ以上の部材で構成しても構わない。
【００５４】
上述した実施の形態１，２では、カバー部材６は、断面視Ｔ字状に形成されていたが、これに限られず、見込み方向から見て、浴室側通気口Ｖｅ１，ＶｅＡ１を覆うことができれば、例えば、断面視Ｌ字状や断面視円弧状等の他の形状のカバー部材を採用しても構わない。
【符号の説明】
【００５５】
１，１Ａ  浴室用建具、２  枠体、３  方立、４  可動障子（第１可動障子）、５  固定障子、５Ａ  第２可動障子、６  カバー部材、２１  上枠、２２  下枠、２３  左側縦枠、２４  右側縦枠、３１  第１方立部、３２  第２方立部、４５  第１右側縦框、５４  第２左側縦框、ＥＣ，ＥＣＡ  通気通路（通気用隙間）、ＥＣ１  方立内通気路、ＥＣ２  通気用隙間、ＥＣ１１  第１通気通路、ＥＣ１２  第２通気通路、ＥＣ１３  第３通気通路、Ｏｐ  開口部、Ｏｐ１  第１開口、Ｏｐ２  第２開口
【図１】
0006491122.tif 000002
【図２】
0006491122.tif 000003
【図３】
0006491122.tif 000004
【図４】
0006491122.tif 000005
【図５】
0006491122.tif 000006
【図６】
0006491122.tif 000007
【図７】
0006491122.tif 000008